(57)【特許請求の範囲】
【請求項１】
内部機器を収納するケースの背面から、前面側にケース側壁を形成する住宅用分電盤であって、
前記ケース側壁におけるケースの背面からケース側壁前方までの部分にケース内部に凹む凹部を形成することによりケース把持部を設けて構成したことを特徴とする住宅用分電盤。
【請求項２】
前記ケース把持部は、前記凹部により住宅用分電盤を取付ける壁面の天地方向に対して段差を形成して構成したことを特徴とする請求項１記載の住宅用分電盤
【発明の詳細な説明】
【技術分野】
【０００１】
本発明は、住宅や店舗等における住宅用分電盤に関し、特に、住宅用分電盤のキャビネットを構成するケースの構造に関する。
【背景技術】
【０００２】
住宅用分電盤は、キャビネットの内部に、主開閉器、該主開閉器の二次側に接続される母線、該母線と各々接続される分岐開閉器などの内部機器を組み込んだもので、住宅等における電路の引込口装置として用いられている。適用される電路は、通常、交流５０Ｈｚ又は６０Ｈｚの単相２線式電路（１００Ｖ）、もしくは単相３線式電路（１００／２００Ｖ）が印加される電路である。
【０００３】
前記キャビネットは、住宅用分電盤の外郭を構成するもので、一般的に、前記内部機器を取付ける中底を取付け固定し、住宅用分電盤の上下左右の側面及び背面を覆う壁を形成するケースと、内部機器の操作面側に臨む前面側を覆うよう前記ケース前面側に設けられるカバーとを備えて構成される。
【０００４】
このような住宅用分電盤においては、特許文献１の図４、特許文献２の図２に示されるように、キャビネットを構成するケースにおける上下左右の側面は、側壁により囲繞されて形成されている。そしてケースの背面側から前面側に至る間で、側壁の前面側周囲が外方に一段拡大されて段差部分が形成されている。住宅用分電盤を持ち運んだり、壁面に取り付ける際には、前記段差部分に指を掛け前面側のカバーを押さえて挟むように把持していた。
【先行技術文献】
【特許文献】
【０００５】
【特許文献１】特開２００６−３６７６９号公報
【特許文献２】特開２００５−２２９７４６号公報
【発明の概要】
【発明が解決しようとする課題】
【０００６】
前述したような段差部分は、本来、住宅用分電盤を壁面に設けた開口部にはめ込む際の嵌め込み量を規制するためのもので、また、外方に一段拡大された部分をケース内において電線を引き回すためのガタースペースを拡大するためのものとして利用されているものである。前記段差部分は、住宅用分電盤を持ち運んだり、壁面に取り付ける際の把持に用いる部位として形成されたものではないため、把持部として使用した場合には次のような課題点が想定される。
【０００７】
前記ケースの左右の側壁における段差部分は、住宅用分電盤を取付ける壁面の天地方向に沿って形成されているから、該天地方向に対して滑りやすいという課題がある。特に、住宅用分電盤の回路数が多くなる場合、壁面の天地方向に対して水平方向の長さが長くなるとともに、住宅用分電盤の重量が増加するから、前記段差部分を把持して保持する場合、該段差部分に加わる荷重並びに応力が大きくなり、把持しにくくなることに加えて、住宅用分電盤に撓みや歪が生じ、ケース自体や内部機器に損傷が起きる可能性がある。
【０００８】
また、本来把持部でない部分を把持することにより、住宅用分電盤を誤って落下した場合等には、作業者の脚部を怪我したり、住宅用分電盤自体が損傷する虞がある。
【０００９】
そこで、本発明は、上記課題に鑑みてなされたもので、住宅用分電盤の保持や持ち運びを壁面の天地方向においても容易安全に行えると共に、ケースの強度を向上することができる住宅用分電盤のケースの構造を提供することを目的とする。
【課題を解決するための手段】
【００１０】
本発明に係る住宅用分電盤の構造は、上述の課題を解決すべく構成されたもので、内部機器を収納するケースの背面から、前面側にケース側壁を形成する住宅用分電盤であって、
前記ケース側壁におけるケースの背面からケース側壁前方までの部分にケース内部に凹む凹部を形成することによりケース把持部を設けて構成するとよい。
【００１１】
かかる構成によれば、ケース側壁におけるケースの背面からケース側壁前方までの部分に凹部の把持部が形成されるから、住宅用分電盤を把持部を大きく確保することができる。また、前記凹部がケース内部に凹んでいるため、該凹部がケース内部においてケース側壁と背面との接触面積が増加するとともに、背面と側壁とに連結されるリブとして作用するから、ケースの強度を向上させることができる。
【００１２】
また、本発明に係る住宅用分電盤の構造は、前記ケース把持部は、前記凹部により住宅用分電盤を取付ける壁面の天地方向に対して段差を形成して構成してもよい。
【００１３】
かかる構成によれば、前記凹部における段差が、住宅用分電盤の自重を保持するための前記天地方向における把持部として用いられるから、安定して住宅用分電盤を把持することができる。
【発明の効果】
【００１４】
以上の如く、本発明によれば、住宅用分電盤の保持や持ち運びを壁面の天地方向においても容易安全に行えると共に、ケースの強度を向上することができる住宅用分電盤のケースの構造を提供することができる。
【図面の簡単な説明】
【００１５】
【図１】第１の実施形態を示す住宅用分電盤の背面図を示す。
【図２】同実施形態に係るケース背面側からの斜視図を示す。
【図３】同実施形態に係るケース前面側からの斜視図を示す。
【図４】同実施形態に係るケース内側前面側からの斜視図を示す。
【図５】同実施形態に係るケース内側前面側の断面図を示す。
【図６】従来の住宅用分電盤を表わした図を示す。
【図７】従来の住宅用分電盤を表わした図を示す。
【発明を実施するための形態】
【００１６】
次に本発明の実施形態を図１乃至図５を用いて詳細に説明する。
【００１７】
（住宅用分電盤の概要説明）
第１の実施形態に係る住宅用分電盤１００は、単相３線式の商用電路に用いられるものである。該住宅用分電盤は、キャビネットの内部に、電流制限器、主開閉器、該主開閉器の二次側において接続部材を介して接続される母線、該母線と各々接続される分岐開閉器、これら内部機器を取付ける中底を設けて構成される。図１には住宅用分電盤を背面側から臨んだ図を示しており、１１０が電流制限器取付部、１１１が主開閉器取付部、１１２が分岐開閉器取付部としての中底である。
【００１８】
前記キャビネットは、住宅用分電盤の外郭を構成するもので、一般的に、前記内部機器を取付ける中底を取付け固定し、住宅用分電盤の上下左右の側面及び背面を覆う壁を形成するケース１２０と、内部機器の操作面側に臨む前面側を覆うよう前記ケース前面側に設けられるカバーとを備えて構成される。
【００１９】
ケース１２０には、壁面等に取り付けられる基部１０１と、該基部から連なり前面側に延設する側壁１０２が設けられている。側壁１０２の前面側周縁部は外方に一段拡大されて第一の段差部分１０５が周囲に形成されている。また、天地方向において、中央部には凹部１０３が形成されている。該凹部１０３は、前記基部１０１の背面側からケース側壁１０２の前方にかけて形成されるとともに、前記凹部１０３がケース内側にも突設して設けられている。
【００２０】
ケース１２０の背面視においては、該ケースの基部１０１における左右略中央部に凹みが形成され、該凹みが基部１０１から前面側に延設される側壁にもそのまま続いて形成されている。ケース１２０の左右側面部分に該当するケース側壁１０２と基部１０１との接触面積が凹みの線分だけ増加し、また、ケース１２０の基部１０１とケースの側壁１０２とが立体的に接続支持され、凹部１０３全体が基部１０１から側面に至る補強リブとしての役割を担う。
【００２１】
また、図４に示したように、前記凹部１０３における側壁１０２の前面側は、前記第一の段差部分１０５が前記凹部１０３のケース内側への突設部分だけ内側に延設されて形成された壁面に連続的に続くよう接続される。
【００２２】
このため、特許文献１、特許文献２に示されたような、ケースの基部の上下左右をケースの側壁により単純に四角形状に囲繞する場合と比べて、ケース側壁１０２の左右外方への曲げ強さ、前記天地方向への曲げ強さなどが増加するとともに、ケース１２０の水平方向、天地方向、斜め方向への撓みや捩れ、歪に対する耐性を増加させることができる。
【００２３】
一方で、前記凹部１０３により、住宅用分電盤１００の天地方向には、該凹部１０３の窪んだ部分と本来の側壁１０２部分との間に段差１０４（第二の段差という）が形成される。また、住宅用分電盤１００の背面側から前面側の方向には、前記凹部１０３の窪んだ部分と側壁１０２の外方に一段拡大されて形成されている前面側周縁部に第一の段差部分１０５よりも大きな段差１０６（第三の段差）が形成される。
【００２４】
これにより、住宅用分電盤１００を施工するときの持ち運びや壁面等への取付保持の際には、前記第二の段差１０４部分や第三の段差１０６部分に指を掛けて持ち運び保持することにより、持ち運び保持の仕方の自由度が増し、前記補強されたケース１２０と相まって天地方向への住宅用分電盤の自重を安定して支えることができる。
【００２５】
本実施形態においては、前記第二の段差１０４部分は、前記窪んだ部分と本来の側壁部分との間がなだらかに接続されるよう斜面を設けて形成している。前記窪んだ部分と本題の側壁部分を階段のステップのように直角の段差を設けて形成してもよいが、なだらかな斜面を形成することにより、段差１０４部分と他の側壁とが急峻でなくなり、住宅用分電盤を臨んだ場合の段差部分への視覚的な注目度を突出させることなく、デザイン的にも一体感をもたせたうえで、把持部としての機能と、補強リブとしての機能を併せ持たせているものである。
【００２６】
尚、本発明は、上記実施形態に限定されるものではなく、本発明の要旨を逸脱しない範囲で種々の変更が可能である。
【００２７】
例えば、本発明のケース構造を用いた住宅用分電盤は、単相３線式の商用電路の他、単相２線式の電路や三相３線式の電路他に用いることができる。また、住宅用分電盤の他、標準盤のケースに適用したり、一般的な樹脂製のケースに代えて金属性のケースに適用することができる。
【００２８】
また、第一の実施形態において、ケース１２０の側壁１０２に形成された凹部１０３を前記天地方向において複数設けて形成してもよい。補強リブとしての役割が増加することでよりケースの強度を増加させた住宅用分電盤を構成することができる。
【符号の説明】
【００２９】
１００  住宅用分電盤
１０１  基部
１０２  側壁
１０３  凹部
１０４  第二の段差
１０５  第一の段差
１０６  第三の段差
１１０  電流制限器取付部
１１１  主開閉器取付部
１１２  分岐開閉器取付部
【図１】
0005652819.tif 000002
【図２】
0005652819.tif 000003
【図３】
0005652819.tif 000004
【図４】
0005652819.tif 000005
【図５】
0005652819.tif 000006
【図６】
0005652819.tif 000007
【図７】
0005652819.tif 000008